(57)【要約】容器本体１，上下方向に移動可能な底部材２，カバー体３，ブッシュ４およびブッシュ付勢用のコイルスプリング５を備えたエアレスポンプ機構である。充填作業時にはカバー体３の起立片部３ａとブッシュ４の垂下片部４ｂとを係止させて、底部材２を、コイルスプリング５の上方向付勢力に抗する形で下側初期位置に保持する。容器本体１に内容物を充填して、筒状首部１ｆにポンプユニットを取り付けた後、カバー体３を容器本体１に対し回動させると、起立片部３ａと垂下片部４ｂとは、その周方向の相対位置がずれてそれまでの係止状態を解除して、内容物吐出可能な状態になる。
2012035660.tif 000002
【特許請求の範囲】
【請求項１】
吐出対象の液状内容物の収容空間域を有する筒状の容器本体と、
前記容器本体の内周面に密接してシール作用を呈するとともに前記収容空間域の底面部分を構成し、前記液状内容物の吐出動作にともなう当該収容空間域の圧力低下に応じて上方向に移動する底部材と、
当該底部材を上方向に移動させるための弾性部材と、
当該弾性部材に抗する形で前記底部材をその下側初期位置に一時的に保持するための係合部を有して、前記容器本体と相対的に回動可能な形でその下端側に取り付けられた底カバー体と、
前記係合部との被係合部，前記底部材との上方向連動作用部および下側位置における前記容器本体との周方向ロック作用部を有して、前記弾性部材により上方向に付勢される底部材駆動体と、
を備えていることを特徴とするエアレスポンプ機構。
【請求項２】
前記底部材は、
前記上方向連動作用部と当接して上方向に駆動される環状天面部分を有し、
前記弾性部材は、
前記底カバー体と前記底部材駆動体との間に配設され、
前記底カバー体は、
前記係合部としての第１の横方向段部が形成された複数の起立片部を有し、
前記底部材駆動体は、
前記被係合部としての第２の横方向段部が形成されて内側に位置する複数の垂下片部および、前記容器本体の内周面と当接する態様で当該垂下片部の外側に設定された複数の脚部を有している、
ことを特徴とする請求項１記載のエアレスポンプ機構。
【請求項３】
前記底部材駆動体は、
前記複数の脚部とその内側の筒状部との間に環凹状部を有し、
前記弾性部材は、
その上端側が当該環凹状部に配設されたコイルスプリングである、
ことを特徴とする請求項２記載のエアレスポンプ機構。
【請求項４】
請求項１乃至３のいずれか１項に記載のエアレスポンプ機構を備え、かつ、放出対象の液状内容物を収容した、
ことを特徴とするポンプ式製品。
【発明の詳細な説明】
【技術分野】
【０００１】
本発明は、吐出対象液状内容物の収容空間域の底面部分に相当する可動底部材を弾性力で上方向に付勢して、当該収容空間域の液状内容物を極力残さずに容器から吐出できるようにしたエアレスポンプ機構に関する。【０００２】
特に、液状内容物を容器本体に充填する場合に、この可動底部材を、上方向への弾性力に抗する形で一時的に下側初期位置に保持しておき、これにより液状内容物の容器本体への充填作業の簡単化，効率化を図るようにしたものである。【０００３】
なお、本明細書では「液状内容物」の語をクリーム状やゾル状などの各種液状内容物が含まれる概念として用いる。【０００４】
また、本明細書では操作ボタンの側を「上」，底カバー体の側を「下」と記し、このときの上下方向を「縦」とも記す。
【背景技術】
【０００５】
下記の特許文献１において、吐出対象液状内容物の容器本体収容空間域の可動底部材をコイルスプリングの弾性力で上方向に付勢したエアレスポンプ機構が開示されている。
【先行技術文献】
【特許文献】
【０００６】
【特許文献１】特開２００１−１７９１３９号公報
【発明の開示】
【発明が解決しようとする課題】
【０００７】
この特許文献１で開示されるエアレスポンプ機構は可動底部材が弾性力により上方向に付勢されているので、容器本体収容空間域の液状内容物を極力残さずに吐出できるといった利点を備えている。【０００８】
その一方で、操作側ポンプユニットを容器本体に取り付けてない状態で液状内容物を当該容器本体に充填する場合、上方向に付勢された可動底部材が容器本体上端側に位置するので、この可動底部材を積極的に下方に駆動しなければならず、液状内容物の充填作業が煩雑になるという問題点があった。【０００９】
そこで、本発明では、液状内容物の収容空間域を特定するこの可動底部材を、上方向への弾性力に抗する形で一時的に下側初期位置に保持しておき、これにより液状内容物の容器本体への充填作業の簡単化，効率化を図ることを目的とする。
【課題を解決するための手段】
【００１０】
本発明は、以上の課題を次のようにして解決する。
（１）エアレスポンプ機構において、
吐出対象の液状内容物の収容空間域を有する筒状の容器本体（例えば後述の容器本体１）と、
前記容器本体の内周面に密接してシール作用を呈するとともに前記収容空間域の底面部分を構成し、前記液状内容物の吐出動作にともなう当該収容空間域の圧力低下に応じて上方向に移動する底部材（例えば後述の底部材２）と、
当該底部材を上方向に移動させるための弾性部材（例えば後述のコイルスプリング５）と、
当該弾性部材に抗する形で前記底部材をその下側初期位置に一時的に保持するための係合部（例えば後述の下向き段部３ｂ）を有して、前記容器本体と相対的に回動可能な形でその下端側に取り付けられた底カバー体（例えば後述の底カバー体３）と、
前記係合部との被係合部（例えば後述の上向き段部４ｃ），前記底部材との上方向連動作用部（例えば後述の脚部４ｆの上面部分）および下側位置における前記容器本体との周方向ロック作用部（例えば後述の外向き突状部４ｇ）を有して、前記弾性部材により上方向に付勢される底部材駆動体（例えば後述のブッシュ４）と、
を備える。
（２）上記（１）において、
前記底部材は、
前記上方向連動作用部と当接して上方向に駆動される環状天面部分（例えば後述の環状天面２ｄ）を有し、
前記弾性部材は、
前記底カバー体と前記底部材駆動体との間に配設され、
前記底カバー体は、
前記係合部としての第１の横方向段部（例えば後述の下向き段部３ｂ）が形成された複数の起立片部（例えば後述の起立片部３ａ）を有し、
前記底部材駆動体は、
前記被係合部としての第２の横方向段部（例えば後述の上向き段部４ｃ）が形成されて内側に位置する複数の垂下片部（例えば後述の垂下片部４ｂ）および、前記容器本体の内周面と当接する態様で当該垂下片部の外側に設定された複数の脚部（例えば後述の四個の脚部４ｆ）を有する。
（３）上記（２）において、
前記底部材駆動体は、
前記複数の脚部とその内側の筒状部（例えば後述の鞘状部４ａの周面部分）との間に環凹状部を有し、
前記弾性部材は、
その上端側が当該環凹状部に配設されたコイルスプリングである。【００１１】
本発明は、以上の構成からなるエアレスポンプ機構および、当該エアレスポンプ機構を備えたポンプ式製品を対象としている。
【発明の効果】
【００１２】
本発明は以上の課題解決手段により、容器本体内部の液状内容物の収容空間域を特定する可動底部材が弾性力で上方向に付勢されたエアレスポンプ機構における、当該液状内容物の容器本体への充填作業の簡単化，効率化を図ることができる、といった効果を奏している。
【図面の簡単な説明】
【００１３】
【図１】液状内容物の収容空間域の底面部分を構成する底部材がその下側初期位置に上方向への弾性付勢力に抗する形で保持され、容器本体の上側開口部に操作側ポンプユニットが取り付けられていない液状内容物充填モードを示す説明図である。
【図２】図１の液状内容物充填後に、容器本体に操作側ポンプユニットが取り付けられて、かつ、底部材の下側初期位置への保持が解除された使用可能モードを示す説明図である。
【図３】図２の使用可能モードにおける液状内容物の吐出動作が繰り返し行なわれて容器本体の液状内容物の略全体が吐出され、底部材がその最上位置まで移動した使用済みモードを示す説明図である。
【図４】エアレスポンプ機構の容器本体側ユニットの構成要素である容器本体，底部材，底部材駆動体，コイルスプリングおよび底カバー体を個々に示す説明図である。
【図５】操作ボタンが押圧されていない静止モードの操作側ポンプユニットを示す説明図である。
【図６】操作ボタンが押圧された作動モードの操作側ポンプユニットを示す説明図である。
【発明を実施するための形態】
【００１４】
図１〜図６を用いて本発明を実施するための形態を説明する。
【００１５】
各図で用いるアルファベット付き参照番号の構成要素（例えば内周面１ａ）は原則として、当該参照番号の数字部分の構成要素（例えば容器本体１）の一部であることを示している。
【００１６】
図１〜図４における容器本体側ユニットの各構成要素（容器本体１，底部材２，底カバー体３，ブッシュ４，コイルスプリング５）について、
１は液状内容物を収容する容器本体，
１ａは底部材２を密接シール状態で案内する内周面，
１ｂは容器本体外周面の下部分に形成されて、底カバー体３との位置合わせ作用を呈する上縦凹状部，
１ｃは当該上縦溝状部の下側の外周面部分に形成されて、当該底カバー体との回動可能な係合作用を呈する環凹状部，
１ｄは容器本体内周面の下端部分に形成されて、液状内容物充填モードの際に後述のブッシュ４との横方向嵌合作用を呈する計四個の凹状部，
１ｅは当該凹状部に形成された縦方向の内向きテーパ面，
１ｆは後述のカバーキャップ６と嵌合する筒状首部，
１ｇは当該筒状首部の外周面に形成された嵌合用の環凹状部，
をそれぞれ示している。
【００１７】
また、
２は容器本体１の液状内容物収容空間域の底面部分を設定して、使用モードの際には容器本体１の内周面１ａに密接シール状態で案内されながら上方向に移動する底部材，
２ａは後述のハウジング７の形状に対応した中央の凹状部， 
２ｂは内周面１ａの周方向に密接した環状で上側の逆スカート部，
２ｃは内周面１ａの周方向に密接した環状で下側のスカート部，
２ｄは逆スカート部２ｂの下部分に形成された環状天面，
をそれぞれ示している。
【００１８】
また、
３は容器本体１の下端側外周面に取り付けられた鞘状の底カバー体，
３ａは当該底カバー体の底面中央部分に対向する態様で形成されて、それぞれの横断面が円弧状の一対の起立片部，
３ｂは当該起立片部それぞれの内側上部分に形成されて、底部材２（ブッシュ４）を液状内容物充填モードの位置に保持するための横方向円弧状の下向き段部，
３ｃは当該下向き段部の上方に形成された横方向円弧状で上広がりの内向きテーパ面，
３ｄは当該底カバー体の内周面上側部分に間歇的に形成されて、容器本体１の環凹状部１ｃとの回動可能な係合作用を呈する凸状部，
３ｅは外気流入用の複数の孔部，
３ｆは底カバー体外周面の上部分に形成されて、容器本体１との位置合わせ作用を呈する下縦凹状部，
をそれぞれ示している。
【００１９】
また、
４は環状天面２ｄに下方から当接して底部材２を上方向に駆動するブッシュ，
４ａは当該ブッシュの中央に形成された上開口の鞘状部，
４ｂは液状内容物充填モードのとき底カバー体３の起立片部３ａと対向する態様で当該鞘状部の底部材分に形成されて、それぞれの横断面が円弧状の一対の垂下片部，
４ｃは当該垂下片部それぞれの外周面下部分に形成されて、底カバー体３の下向き段部３ｂとの上方向係合作用により底部材２を液状内容物充填モードの位置に保持する横方向円弧状の上向き段部，
４ｄは当該上向き段部の下方に形成された横方向円弧状で上広がりの外向きテーパ面，
４ｅは鞘状部４ａの上端に形成された環状の鍔部分，
４ｆは当該鍔部分から下方に延びる態様で形成された計四個の脚部，
４ｇは当該脚部の下端部分であって容器本体１の凹状部１ｄとの横方向ロック作用を呈する外向き突出部，
４ｈは当該外向き突出部の外面上側に形成されて内向きテーパ面１ｅに対応する縦方向の外向きテーパ面，
５は起立片部３ａの外側の底カバー体底面部分と、ブッシュ４の鞘状部４ａ，鍔部分４ｅおよび脚部４ｆと、の間に配設されたコイルスプリング，
をそれぞれ示している。
【００２０】
図１〜図６の操作側ポンプユニットの各構成要素（カバーキャップ６，ハウジング７，環状ガスケット８，操作ボタン９，ピストン１０，環状移動弁１１，コイルスプリング１２）について、
６は容器本体１の筒状首部１ｆと嵌合する筒状のカバーキャップ，
６ａは当該カバーキャップの下側内周面に形成されて、筒状首部１ｆの環凹状部１ｇの嵌合相手となる環凸状部，
６ｂは当該カバーキャップの上内端側に形成されて、ハウジング７との嵌合作用を呈する下開口の環凹状部，
６ｃは当該環凹状部を構成する内筒状部の下面側に形成されて、環状移動弁１１の上限位置を規定する環状段部，
をそれぞれ示している。
【００２１】
また、
７はカバーキャップ６の環凹状部６ｂに嵌合保持されて、ピストン１０，環状移動弁１１およびコイルスプリング１２を収容保持するハウジング，
８は筒状首部１ｆの上面環状部分とハウジング７の環状鍔部の下面との間に挟持された環状ガスケット，
９は操作ボタン，
９ａは液状内容物の通路部分，
９ｂは当該通路部分の出力部となる液状内容物吐出用の孔部，
をそれぞれ示している。
【００２２】
また、
１０は操作ボタン９の通路部分９ａに嵌合保持されて、液状内容物の吐出用通路として作用し、また環状移動弁１１とともに弁作用を呈するピストン，
１０ａは操作ボタン９の通路部分９ａに嵌合保持される上ピストン部材，
１０ｂは当該上ピストン部材の上開口空間部，
１０ｃは当該上ピストン部材の下開口空間部，
１０ｄは上開口空間部１０ｂおよび下開口空間部１０ｃの間に形成されたコア部，
１０ｅは下開口空間部１０ｃの上側部分に形成されて、後述の下ピストン部材１０ｊを嵌合させるための小径鞘状部，
１０ｆは当該小径鞘状部の内周面の上下方向に複数形成された縦リブ状部，
１０ｇは当該縦リブ状部間の液状内容物通路部分から上方向に連続する態様で複数形成された液状内容物通過用の貫通部，
１０ｈは下開口空間部１０ｃの下側大径部分に形成された環状天面，
１０ｊは上ピストン部材１０ａの小径鞘状部１０ｅに嵌合保持されるタワー形状の下ピストン部材，
１０ｋは当該下ピストン部材の外周面の一部であって、環状移動弁１１との間で弁作用を呈する環状テーパ面，
１０ｍは当該下ピストン部材の下鍔状部分に複数形成された液状内容物通過用の孔部，
をそれぞれ示している。
【００２３】
また、
１１は下ピストン部材１０ｊに装填されてハウジング内部の上下方向に移動可能な環状移動弁，
１１ａは当該環状移動弁の内筒状部の上端側に形成されて、上ピストン部材１０ａの下開口空間部１０ｃの下側大径部分の内周面に密接してシール作用を呈するとともに、作動モード（図６参照）ではハウジング内部の液状内容物の圧力増加により相対的に上動して当該上ピストン部材の環状天面１０ｈに係止される環状の逆スカート部，
１１ｂは当該環状移動弁の内筒状部の下端側に形成されて、上ピストン部材１０ａの環状テーパ面１０ｊと接離する弁作用部，
１１ｃは当該環状移動弁の内筒状部の内周面に複数形成された縦リブ状部，
１１ｄは当該環状移動弁の外環状部の上端側に形成されて、ハウジング７の内周面と当接し、かつ、操作ボタン９が押圧されていない静止モードの際にカバーキャップ６の環状段部６ｃに当接する環状の逆スカート部，
１１ｅは当該環状移動弁の外環状部の下端側に形成されて、ハウジング７の内周面と密接してシール作用を呈する環状のスカート部，
１２はハウジング７の底面部分と下ピストン部材１０ｈの下面部分との間に配設されて、当該下ピストン部材を上方向に付勢するコイルスプリング，
Ａは液状内容物の吐出径路（図６参照），
をそれぞれ示している。
【００２４】
ここで、容器本体１，底カバー体３，ブッシュ４，カバーキャップ６，ハウジング７，操作ボタン９，ピストン１０および環状移動弁１１はそれぞれ、ポリプロピレン，ポリエチレン，ポリアセタール，ナイロン，ポリブチレンテレフタレートなどからなるプラスチック製のものである。
【００２５】
底部材２はプラスチック製（各種の熱可塑性エラストマー、例えばオレフィン系熱可塑性エラストマーやスチレン系熱可塑性エラストマー）またはニトリルブタジエンゴム（ＮＢＲ)，シリコンゴム，ブチルゴム，フッ素ゴムなどからなるゴム製のものである。
【００２６】
コイルスプリング５，１２は金属製またはプラスチック製のものである。環状ガスケット８はゴム製またはプラスチック製のものである。
【００２７】
図示のエアレスポンプ機構の基本的特徴は、
(11)容器本体１における液状内容物の収容空間域を特定する底部材２を、コイルスプリング５の弾性作用で上方向に、すなわち液状内容物の吐出動作に応じて当該底部材が移動する方向に上下動可能なブッシュ４を介して付勢し、
(12)容器本体１の下端側に取り付けられる底カバー体３に、コイルスプリング５の弾性力で上方向に付勢されるブッシュ４をその最下位置近くに当該弾性力に抗する形で係合させて保持するため、底カバー体３には下向き段部３ｂを、またブッシュ４には上向き段部４ｃをそれぞれ形成し、
(13)この下向き段部３ｂと上向き段部４ｃとの係合状態が、容器本体１と底カバー体３との相対的な回動操作により解除される、
ことである。
【００２８】
上記(12)の係合状態は底部材２がその略最下位置にて設定されるので、「カバーキャップ６〜コイルスプリング１２」からなる図５，図６の操作側ポンプユニットを容器本体１に取り付ける前の状態、すなわち容器本体１の上端側が開口した状態で、液状内容物をこの開口部から容器本体内部に充填する作業が容易かつ確実に行われる（図１参照）。
【００２９】
なお、この係合状態では、ブッシュ４の計四個の外向き突出部４ｇがそれぞれ容器本体１の計四個の凹状部１ｄに入り込んでいて、当該ブッシュおよび当該容器本体が回動方向にロックされた形になっている。
【００３０】
そして、液状内容物の充填終了後、容器本体１と底カバー体３との相対的な回動操作を行うことにより、回動方向には当該容器本体１とロック状態のブッシュ４が、当該底カバー体に対してそれまでの係合状態から周方向にずれる。
【００３１】
このブッシュ４と底カバー体３との周方向へのずれにより、当該底カバー体の下向き段部３ｂと当該ブッシュの上向き段部４ｃとの係合状態が解除される。
【００３２】
この係合解除にともない、ブッシュ４および、これの鍔部分４ｅと当接する面部分（脚部４ｆの上面部分）を備えた底部材２が、上方向に連動可能となる（図２参照）。
【００３３】
ここで上方向に連動可能となるのは、コイルスプリング５の弾性力により上方向に付勢されたブッシュ４の脚部４ｆが、その外向きテーパ面４ｈと容器本体１の凹状部１ｄの内向きテーパ面１ｅとの案内作用により内側に変位しながら当該凹状部から上方向へと移動しえるからである。
【００３４】
この係合解除の状態で操作ボタンが下方向に押圧されると、後述するようにピストン１０が下動してハウジング７の液状内容物の圧力が増加し、これにより環状移動弁１１が当該ピストンに対して上動する。
【００３５】
そのため下ピストン部材１０ｊの環状テーパ面１０ｋと環状移動弁１１の弁作用部１１ｂとで構成される流出弁がそれまでの当接状態から離間状態へと移行する（図５，図６参照）。
【００３６】
この流出弁が開き、ハウジング７などの液状内容物がピストン１０や上方向に付勢された底板２で押されることにより、当該液状内容物は操作ボタン９の孔部９ｂから外部空間域へ吐出される。この液状内容物の吐出にともない、容器本体，ハウジング内部の液状内容物圧力が低下する。
【００３７】
この液状内容物の圧力低下分に応じる形で、底部材２が、外部の大気圧およびコイルスプリング５の弾性力により上方向へと駆動される。
【００３８】
図示のエアレスポンプ機構は、底部材２の上方向付勢用のコイルスプリング５を用いることを前提としているので、当該底部材２が最終的にはその最上位置まで移動して、液状内容物の略全体の吐出動作を確実に行なうことができる（図３参照）。
【００３９】
なお、上述の容器本体側ユニットの組立て手順は例えば、
(21)底部材２を容器本体１に入れてその内面に摩擦係合させ、
(22)底カバー体３にコイルスプリング５を挟んでからブッシュ４に、当該底カバー体の下向き段部３ｂが当該ブッシュ４の上向き段部４ｃと嵌合する形で取り付け、
(23)上記(21)の作業後の容器本体１に上記(22)の作業後の底カバー体３を、当該容器本体の上縦凹状部１ｂが当該底カバー体の下縦凹状部３ｆと合致する形で取り付ける、
といった内容になる。
【００４０】
上記(22)の取付けに際して、例えばブッシュ４の垂下片部４ｂを底カバー体３の起立片部３ａの上方から入れていくと、先ず当該垂下片部の外向きテーパ面４ｄと当該起立片部の内向きテーパ面３ｃとが当接して、これら双方のプラスチック製片部がそれぞれの弾性に抗する形で互いに離れる方向に変位する。
【００４１】
そして上向き段部４ｃが下向き段部３ｂの位置となるまでブッシュ４が下動すると、垂下片部４ｂおよび起立片部３ａはそれぞれの弾性力により初期状態に復帰して、上向き段部４ｃと下向き段部３ｂとの係合状態に移行する。
【００４２】
上記(23)の取付け後は、ブッシュ４の計四個の外向き突出部４ｇはそれぞれ容器本体１の凹状部１ｄに係合している。この係合により、容器本体１およびブッシュ４は回動方向に対してロック状態に設定されている。すなわち、容器本体１を回動させた場合にブッシュ４はこれと一体になって回動する。
【００４３】
図５および図６の操作側ポンプユニット自体は周知のものであり、図５の静止モードでは、
(31)カバーキャップ６の環凹状部６ｂにハウジング７が嵌合され、
(32)ハウジング内部のピストン１０および環状移動弁１１はコイルスプリング１２の弾性力で上方向に付勢されて、当該環状移動弁の逆スカート部１１ｅがカバーキャップ６の環状段部６ｃに当接し、かつ、当該ピストンの環状テーパ面１０ｋと当該環状移動弁の弁作用部１１ｂとが密接した、
状態になっている。
【００４４】
すなわち、環状テーパ面１０ｋおよび弁作用部１１ｂの流出弁が閉じているので、ハウジング７などに収容された液状内容物が孔部９ｂから吐出することはない。
【００４５】
そして、操作ボタン９を押し下げると、
(41)操作ボタン９と一体のピストン１０がコイルスプリング１２の弾性力に抗しながら下動し、
(42)この下動にともなうハウジング内部の液状内容物の圧力増加にともなって、環状移動弁１１がピストン１０に対し上動してその逆スカート部１１ａが上ピストン部材１０ａの環状天面１０ｈに係止される。
【００４６】
すなわち、環状移動弁１１がピストン１０に対し上動して環状テーパ面１０ｋおよび弁作用部１１ｂの流出弁が開き、ハウジング７の液状内容物は孔部９ｂから吐出される。
【００４７】
このときの液状内容物の吐出径路は矢印Ａで示すように、概略、「ハウジング７の内部空間域−孔部１０ｍ−環状テーパ面１０ｋおよび弁作用部１１ｂの流出弁−縦リブ状部１１ｃの間の縦溝状部−小径鞘状部１０ｅ−縦リブ状部１０ｆの間の縦溝状部−貫通部１０ｇ−上開口空間部１０ｂ−通路部分９ａ―孔部９ｂ」となる。
【００４８】
そして操作ボタン９の押下げ操作が解除されると、
(51)操作ボタン９およびピストン１０はコイルスプリング７の弾性力により上動し、
(52)この上動にともないハウジング内部の液状内容物収容域の容積が増加してそこでの内部圧力が低下することもあいまって、環状テーパ面１０ｋおよび弁作用部１１ｂの流出弁も閉状態に移行し、
(53)操作側ポンプユニットの全体が図５の静止モードの状態へと復帰する。
【００４９】
上記(52)の圧力低下にともなって容器本体１からハウジング７へ液状内容物が流入し、この流入分に応じて底部材２が上動する。ハウジング内部に流入した液状液状内容物は次の操作ボタン押圧時の吐出対象となる。
【００５０】
なお、カバーキャップ６は容器本体１に、当該カバーキャップの環凸状部６ａと当該容器本体の環凹状部１ｇとの嵌合作用により取り付けられているので、カバーキャップ６が容器本体１からいわば不用意，簡単に取り外されることなない。
【００５１】
すなわち、カバーキャップ６が容器本体１から不意に取り外された状態で底部材２がコイルスプリング５の弾性作用によって上方向に移動し、容器内部の液状内容物が容器本体開口部から流出してしまうようなことは生じない。
【００５２】
本発明が以上の実施形態に限定されないことは勿論である。例えば押下げタイプの操作ボタンに代えて横押し式，レバー式，トリガー式，ティルト式，頭皮タッチ式などの各種操作部材を用いてもよい。また、コイルスプリング５に代えて各種バネ部材を用いるようにしてもよい。
【００５３】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５４】
容器本体に収容する液状内容物には種々の液状形態のものを用いることができ、液状内容物に配合される成分としては例えば、粉状物，油成分，アルコール類，界面活性剤，高分子化合物，各用途に応じた有効成分，水などが挙げられる。
【００５５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５７】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５９】
高分子化合物としては、メチルセルロース，ゼラチン，デンプン，カゼイン，ヒドロキシエチルセルロース，キサンタンガム，カルボキシビニルポリマーなどを用いる。
【００６０】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６１】
さらに、上記液状内容物以外の、懸濁剤，紫外線吸収剤，乳化剤，保湿剤，酸化防止剤、金属イオン封鎖剤なども用いることができる。
【符号の説明】
【００６２】
（図１〜図４における容器本体側ユニットの各構成要素について）
１：容器本体
１ａ：内周面
１ｂ：上縦凹状部
１ｃ：環凹状部
１ｄ：計四個の凹状部
１ｅ：縦方向の内向きテーパ面
１ｆ：筒状首部
１ｇ：環凹状部
２：底部材
２ａ：中央の凹状部
２ｂ：上側の逆スカート部
２ｃ：下側のスカート部
２ｄ：環状天面
３：鞘状の底カバー体
３ａ：一対の起立片部
３ｂ：下向き段部
３ｃ：内向きテーパ面
３ｄ：凸状部
３ｅ：外気流入用の孔部
３ｆ：下縦凹状部
４：ブッシュ
４ａ：上開口の鞘状部
４ｂ：一対の垂下片部
４ｃ：上向き段部
４ｄ：外向きテーパ面
４ｅ：環状の鍔部分
４ｆ：計四個の脚部
４ｇ：外向き突出部
４ｈ：外向きテーパ面
５：コイルスプリング【００６３】
（図１〜図６の操作側ポンプユニットの各構成要素について）
６：カバーキャップ
６ａ：環凸状部
６ｂ：下開口の環凹状部
６ｃ：環状段部
７：ハウジング
８：環状ガスケット
９：操作ボタン
９ａ：通路部分
９ｂ：液状内容物吐出用の孔部
１０：ピストン
１０ａ：上ピストン部材
１０ｂ：上開口空間部
１０ｃ：下開口空間部
１０ｄ：コア部
１０ｅ：小径鞘状部
１０ｆ：縦リブ状部
１０ｇ：液状内容物通過用の貫通部
１０ｈ：環状天面
１０ｊ：下ピストン部材
１０ｋ：環状テーパ面
１０ｍ：液状内容物通過用の孔部
１１：環状移動弁
１１ａ：逆スカート部
１１ｂ：弁作用部
１１ｃ：縦リブ状部
１１ｄ：逆スカート部
１１ｅ：スカート部
１２：コイルスプリング
Ａ：液状内容物の吐出径路（図６参照）
【図１】
2012035660.tif 000003
【図２】
2012035660.tif 000004
【図３】
2012035660.tif 000005
【図４】
2012035660.tif 000006
【図５】
2012035660.tif 000007
【図６】
2012035660.tif 000008
【国際調査報告】
2012035660.tif 000009
2012035660.tif 000010